(57)【要約】【課題】エラーに対する処置をユーザーに効果的に促すことができる情報処理装置を提供すること。【解決手段】各種の操作内容に対応する操作キー６１Ａを表示する表示手段と前記操作キー６１Ａの操作に応じて操作信号を出力する操作手段とを備える情報処理装置であって、エラーが発生してから前記エラーが解消するまでの間は、例えば前記操作キー６１Ａの表示濃度を低下させることにより（図５（Ｂ）、（Ｃ）参照）、前記操作キー６１Ａの操作性を低下させるように構成されている。【選択図】図５
2014061650.tif 000002
【特許請求の範囲】
【請求項１】
各種の操作内容に対応する操作キーを表示する表示手段と、
前記操作キーの操作に応じて操作信号を出力する操作手段と、
エラーが発生してから前記エラーが解消するまでの間、前記操作キーの操作性を低下させる操作性制御手段と、
を備えてなる情報処理装置。
【請求項２】
前記操作性制御手段が、前記操作キーの表示濃度を低下させることにより前記操作キーの操作性を低下させるものである請求項１に記載の情報処理装置。
【請求項３】
前記エラーが発生した場合に前記エラーの内容を前記表示手段に表示させる表示制御手段を更に備えてなり、
前記操作性制御手段が、前記操作キーの表示濃度を少なくとも前記エラーの内容の表示濃度よりも低い濃度まで低下させるものである請求項２に記載の情報処理装置。
【請求項４】
前記操作性制御手段が、予め設定された濃度変更条件が充足した場合に前記操作キーの表示濃度を低下させるものである請求項２又は３に記載の情報処理装置。
【請求項５】
画像形成処理を実行する画像形成手段及び画像読取処理を実行する画像読取手段のいずれか一方又は両方を更に備えてなり、
前記濃度変更条件が、前記エラー発生中における前記画像形成処理及び前記画像読取処理のいずれか一方又は両方の実行回数が予め設定された回数に達することである請求項４に記載の情報処理装置。
【請求項６】
前記情報処理装置の使用開始時にユーザーのログイン処理を実行する認証手段を更に備えてなり、
前記操作性制御手段が、前記ユーザーごとに前記濃度変更条件の有無を判断し、前記ユーザーごとに対応する表示濃度で前記操作キーを前記表示手段に表示させるものである請求項４又は５に記載の情報処理装置。
【請求項７】
前記操作性制御手段が、前記操作キーに対して予め設定された回数の操作が行われるまで前記操作信号を受け付けないことにより前記操作キーの操作性を低下させるものである請求項１に記載の情報処理装置。
【請求項８】
前記操作性制御手段が、前記操作キーの操作が行われた場合に、予め設定された確認メッセージを前記表示手段に表示させ、前記操作手段に対して前記確認メッセージの確認操作が行われるまで前記操作信号を受け付けないことにより前記操作キーの操作性を低下させるものである請求項１に記載の情報処理装置。
【請求項９】
前記操作性制御手段が、前記操作キーのうち前記エラーの内容に関連する予め定められた特定の操作キーの操作性を低下させるものである請求項１〜８のいずれかに記載の情報処理装置。
【請求項１０】
用紙に画像を形成する画像形成処理を実行する画像形成部を更に備えてなり、
前記操作性制御手段が、前記画像形成処理で使用される用紙の残量に関するエラーが発生した場合に、前記操作キーのうち前記画像形成処理に関する操作内容に対応する前記特定の操作キーの操作性を低下させるものである請求項９に記載の情報処理装置。
【発明の詳細な説明】
【技術分野】
【０００１】
本発明は、表示手段に表示された各種の操作内容に対応する操作キーの操作に応じて操作信号を出力する操作手段を備えた情報処理装置に関するものである。
【背景技術】
【０００２】
一般に、トナーを用いて画像形成処理を実行するプリンター等の画像形成装置（情報処理装置の一例）では、トナーカートリッジに収容されたトナーの残量が少なくなった場合にその旨のエラーが表示される（例えば、特許文献１参照）。
そのため、ユーザーは、前記エラーの表示によってトナーの残量が少なくなったことを認識し、前記トナーカートリッジの交換を行うことができる。また、前記画像形成装置では、トナーの残量不足の他、例えば給紙カセットの用紙残量が少なくなった場合にもその旨のエラーが表示される。
【先行技術文献】
【特許文献】
【０００３】
【特許文献１】特開平０９−１２０２０８号公報
【特許文献２】特開２０１０−２６８８１号公報
【発明の概要】
【発明が解決しようとする課題】
【０００４】
しかしながら、前記画像形成装置において各種のエラーが発生した場合にその旨を表示させるだけでは、ユーザーが前記エラーを見過ごすおそれがある。また、ユーザーが故意に前記エラーを無視するおそれもある。そのため、前記エラーの表示だけでは前記エラーに対処するべき旨をユーザーに効果的に認識させることができないという問題がある。なお、例えば特許文献２には使用頻度によって操作ボタンの表示濃度を薄くすることについての記載があるが、エラーに対する処置をユーザーに促すことを考慮したものではない。
従って、本発明は前記事情に鑑みてなされたものであり、その目的とするところは、エラーに対する処置をユーザーに効果的に促すことができる情報処理装置を提供することにある。
【課題を解決するための手段】
【０００５】
前記目的を達成するために本発明は、表示手段、操作手段、及び操作性制御手段を備えてなる情報処理装置である。前記表示手段は、各種の操作内容に対応する操作キーを表示するものである。前記操作手段は、前記操作キーの操作に応じて操作信号を出力するものである。前記操作性制御手段は、エラーが発生してから前記エラーが解消するまでの間、前記操作キーの操作性を低下させるものである。
本発明によれば、前記エラーが解消するまで前記操作キーの操作性が低下するため前記エラーに対する処置をユーザーに効果的に促すことができる。
【０００６】
ここで、前記操作性制御手段が、前記操作キーの表示濃度を低下させることにより前記操作キーの操作性を低下させるものであることが考えられる。これにより、前記エラーが解消するまでの間、前記操作キーが見えづらくなるため、前記エラーに対する処置をユーザーに効果的に促すことができる。
また、前記情報処理装置は、前記エラーが発生した場合に前記エラーの内容を前記表示手段に表示させる表示制御手段を備えたものであることが考えられる。この場合、前記操作性制御手段が、前記操作キーの表示濃度を少なくとも前記エラーの内容の表示濃度よりも低い濃度まで低下させるものであることが考えられる。これにより、前記表示手段に表示された前記エラーの内容が前記操作キーよりも目立つため、ユーザーに前記エラーの内容の表示を効果的に認識させることができる。
ところで、前記操作性制御手段が、予め設定された濃度変更条件が充足した場合に前記操作キーの表示濃度を低下させるものであることが考えられる。例えば、前記情報処理装置が、画像形成処理を実行する画像形成手段及び画像読取処理を実行する画像読取手段のいずれか一方又は両方を更に備える構成が考えられる。この場合、前記濃度変更条件としては、例えば前記エラー発生後における前記画像形成処理及び前記画像読取処理のいずれか一方又は両方の実行回数が予め設定された回数に達することが考えられる。これにより、前記エラーの発生中にユーザーが前記画像形成処理及び前記画像読取処理のいずれか一方又は両方を実行した回数が多くなるほど前記操作キーの表示濃度が低下し、前記エラーの発生をユーザーに強く印象づけることができる。
さらに、前記情報処理装置が、前記情報処理装置の使用開始時にユーザーのログイン処理を実行する認証手段を備えてなる構成が考えられる。この場合、前記操作性制御手段が、前記ユーザーごとに前記濃度変更条件の有無を判断し、前記ユーザーごとに対応する表示濃度で前記操作キーを前記表示手段に表示させるものであることが考えられる。これにより、前記エラーを無視している期間が長いユーザーほど低い表示濃度で前記操作キーを表示させ、前記エラーの発生をユーザーに強く印象づけることができる。
【０００７】
ところで、前記操作性制御手段が、前記操作キーに対して予め設定された回数の操作が行われるまで前記操作信号を受け付けないことにより前記操作キーの操作性を低下させるものであることが考えられる。
また、前記操作性制御手段が、前記操作キーの操作が行われた場合に、予め設定された確認メッセージを前記表示手段に表示させ、前記操作手段に対して前記確認メッセージの確認操作が行われるまで前記操作信号を受け付けないことにより前記操作キーの操作性を低下させるものであることも考えられる。
これらの構成によっても前記操作キーの操作性が低下するため、前記エラーに対する処置をユーザーに効果的に促すことができる。
【０００８】
また、前記操作性制御手段が、前記操作キーのうち前記エラーの内容に関連する予め定められた特定の操作キーの操作性を低下させるものであることが考えられる。これにより、前記エラーの内容に関連性のない前記操作キーについては操作性が低下しないため、不要にユーザーの操作性を阻害することがない。
具体的に、前記情報処理装置が、用紙に画像を形成する画像形成処理を実行する画像形成部を更に備えることが考えられる。即ち、前記情報処理装置が前記画像形成部を備える画像形成装置であることが考えられる。この場合、前記操作性制御手段が、前記画像形成処理で使用される用紙の残量に関するエラーが発生した場合に、前記操作キーのうち前記画像形成処理に関する操作内容に対応する前記特定の操作キーの操作性を低下させるものであることが考えられる。これにより、前記画像形成処理に関する操作を行うユーザーのみに対して前記エラーに対する処置を促すことができる。
【発明の効果】
【０００９】
本発明によれば、エラーが発生したときに操作キーの操作性を低下させることによって前記エラーに対する処置をユーザーに効果的に促すことができる。
【図面の簡単な説明】
【００１０】
【図１】本発明の実施の形態に係る複合機の概略構成を示す模式図。
【図２】本発明の実施形態に係る複合機の操作表示部の要部拡大図。
【図３】操作性制御処理の手順の一例を説明するためのフローチャート。
【図４】操作性制御処理の手順の一例を説明するためのフローチャート。
【図５】操作性制御処理の実行結果の一例を説明するための表示画面を示す図。
【図６】操作性制御処理の手順の他の例を説明するためのフローチャート。
【図７】操作性制御処理の手順の他の例を説明するためのフローチャート。
【図８】図７に示す操作性制御処理の実行結果の一例を示す図。
【図９】操作性制御処理の手順の他の例を説明するためのフローチャート。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
まず、図１及び図２を参照しつつ、本発明の実施の形態に係る複合機Ｘ（情報処理装置の一例）の概略構成について説明する。なお、図１（Ａ）は前記複合機Ｘの内部構成を示す模式図、図１（Ｂ）は図１（Ａ）におけるＡ−Ａ矢視図である。また、図２は、前記複合機Ｘの操作表示部６の要部拡大図である。
【００１３】
図１に示すように、前記複合機Ｘは、画像読取部１、ＡＤＦ２、画像形成部３、給紙カセット４、制御部５、及び操作表示部６などを備えた画像形成装置である。なお、本実施の形態では、本発明に係る情報処理装置の一例として前記複合機Ｘを挙げて説明するが、これに限らない。例えばプリンター、ファクシミリ装置、スキャナー、パーソナルコンピューター、テレビジョン受像機、スマートフォン、タブレット端末、ＰＤＡ、その他の家電製品も本発明に係る情報処理装置に該当する。
【００１４】
前記画像読取部１は、原稿から画像データを読み取る画像読取処理を実行する画像読取手段であって、図１（Ａ）に示すように、コンタクトガラス１１、読取ユニット１２、ミラー１３、１４、光学レンズ１５、及びＣＣＤ（Charge  Coupled  Device）１６などを備えている。
前記コンタクトガラス１１は、前記画像読取部１の上面に設けられており、前記複合機Ｘの画像読取対象となる原稿Ｐが載置される透明な原稿台である。
前記読取ユニット１２は、ＬＥＤ光源１２１及びミラー１２２を備えており、ステッピングモーター等の駆動モーターを用いた不図示の移動機構によって図１（Ａ）における左右方向（副走査方向）へ移動可能に構成されている。そして、前記駆動モーターにより前記読取ユニット１２が副走査方向に移動されると、前記ＬＥＤ光源１２１から前記コンタクトガラス１１上に照射される光が副走査方向に走査される。
前記ＬＥＤ光源１２１は、図１（Ａ）における奥行き方向（主走査方向）に沿って配列された多数の白色ＬＥＤを備えており、前記コンタクトガラス１１上の読取位置１２Ａにある原稿Ｐ又は後述の原稿押さえ２３に向けて１ライン分の白色光を照射する。なお、前記読取位置１２Ａは、前記読取ユニット１２の副走査方向への移動に伴って副走査方向に移動する。
前記ミラー１２２は、前記ＬＥＤ光源１２１から前記読取位置１２Ａにある原稿Ｐ又は後述の原稿押さえ２３に光を照射したときの反射光を前記ミラー１３に向けて反射させる。そして、前記ミラー１２２で反射した光は、前記ミラー１３、１４によって前記光学レンズ１５に導かれる。前記光学レンズ１５は、入射した光を集光して前記ＣＣＤ１６に入射させる。
前記ＣＣＤ１６は、受光した光をその光量に応じた電気信号（電圧）に変換し、画像データとして出力する光電変換素子である。具体的に、前記ＣＣＤ１６は、前記コンタクトガラス１１の下方から前記ＬＥＤ光源１２１により前記原稿Ｐに光を照射したときの反射光に基づいて前記原稿Ｐの画像データを読み取る。前記ＣＣＤ１６で読み取られた画像データは前記制御部５に入力される。
【００１５】
前記ＡＤＦ２は、原稿セット部２１、複数の搬送ローラー２２、原稿押さえ２３、及び排紙部２４などを備えた自動原稿送り装置である。前記ＡＤＦ２は、前記搬送ローラー２２各々を不図示のモーターで駆動させることにより、前記原稿セット部２１にセットされた原稿Ｐを前記コンタクトガラス１１上の読取位置１２Ａを通過させて前記排紙部２４まで搬送させる。
前記原稿押さえ２３は、前記コンタクトガラス１１上の読取位置１２Ａの上方に原稿Ｐが通過できる間隔を隔てた位置に設けられている。前記原稿押さえ２３は、主走査方向に長尺状を成しており、その下面（コンタクトガラス１１側の面）には白色のシートが貼り付けられている。前記複合機Ｘでは、前記白色のシートの画像データが白色基準データとして読み取られる。そして、前記白色基準データは、前記制御部５によって実行される周知のシェーディング補正などで用いられる。
【００１６】
前記画像形成部３は、前記画像読取部１で読み取られた画像データ、又は外部のパーソナルコンピューター等の情報処理装置から入力された画像データに基づいて画像形成処理（印刷処理）を実行する電子写真方式の画像形成手段である。
具体的に、前記画像形成部３は、感光体ドラム３１、帯電装置３２、現像装置３３、トナーコンテナ３４、転写ローラー３５、除電装置３６、定着ローラー３７、加圧ローラー３８、及び複数の搬送ローラー３９などを備えている。そして、前記画像形成部３では、前記給紙カセット４から供給されて前記搬送ローラー３９によって搬送される用紙に以下の手順で画像が形成される。
まず、前記帯電装置３２によって前記感光体ドラム３１が所定の電位に一様に帯電される。次に、不図示のレーザスキャナユニット（ＬＳＵ）により前記感光体ドラム３１の表面に画像データに基づく光が照射される。これにより、前記感光体ドラム３１の表面に静電潜像が形成される。そして、前記感光体ドラム３１上の静電潜像は前記現像装置３３によってトナー像として現像（可視像化）される。なお、前記現像装置３３には、前記トナーコンテナ３４からトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過して排出される際に前記定着ローラー３７で加熱されて溶融定着する。なお、前記感光体ドラム３１の電位は前記除電装置３６で除電される。
【００１７】
前記給紙カセット４には、複数枚の用紙が収容される。また、前記給紙カセット４は、内部に収容された用紙の残量を検出する用紙残量センサー４１を備えている。具体的に、前記用紙残量センサー４１は、前記給紙カセット４内に用紙がない状態（紙切れ）と、前記給紙カセット４内の用紙の残量が予め設定された少量枚数未満である状態（用紙少量）と、前記給紙カセット４内の用紙の残量が前記少量枚数以上である状態とを区別して検出する。そして、前記用紙残量センサー４１は、検出した用紙の残量を前記制御部５に入力する。
なお、前記用紙残量センサー４１による用紙の残量の検出手法としては従来周知の各種の検出手法を採用すればよい。例えば、前記用紙残量センサー４１は、前記給紙カセット４内の用紙の有無を検出する第１の光学式センサーと前記給紙カセット４内の用紙の残量が前記少量枚数以上であるか否かを検出する第２の光学式センサーとを含むことが考えられる。また、前記給紙カセット４には、上端の用紙がピックアップローラーに接触するまで前記給紙カセット４内の用紙を上方に持ち上げるリフト板が設けられている。そのため、前記用紙残量センサー４１は、前記リフト板の昇降位置に応じて用紙の残量を検出するものであってもよい。さらに、前記給紙カセット４が前記複合機Ｘに装着された際に前記リフト板が上昇して上端の用紙がピックアップローラーに接触するまでの時間とその後の印刷枚数とに応じて前記制御部５が用紙の残量（枚数）を検出することも考えられる。
【００１８】
前記制御部５は、ＣＰＵ、ＲＯＭ、ＲＡＭ、及びＥＥＰＲＯＭなどの制御機器を有している。前記制御部５は、前記ＲＯＭに記憶された所定の制御プログラムを前記ＣＰＵで実行することにより、前記複合機Ｘを統括的に制御する。例えば、前記制御部５は、前記ＲＯＭに記憶された操作性制御プログラムに従って後述の操作性制御処理（図３及び図４参照）を実行することにより前記操作表示部６の操作性を制御する。また、前記ＲＡＭは揮発性の記憶手段、前記ＥＥＰＲＯＭは不揮発性の記憶手段であって、前記ＣＰＵが実行する各種の処理の一時記憶メモリー及び画像メモリーとして使用される。なお、前記制御部５は集積回路（ＡＳＩＣ）などの電子回路で構成されたものであってもよい。
また、前記制御部５は、前記複合機Ｘの使用開始時にユーザーのログイン処理を実行し、前記複合機Ｘの使用終了時にユーザーのログアウト処理を実行するユーザー認証機能を有している。ここに、係るユーザー認証機能を具現するときの前記制御部５が認証手段に相当する。前記ユーザー認証機能についてはユーザーＩＤ、パスワードの入力、又はユーザーのＩＤカードの読み取りなどの各種の従来手法を採用すればよいためここでは説明を省略する。なお、前記制御部５は、例えばユーザーによるログアウト操作又は所定時間経過を条件にログアウト処理を実行する。
【００１９】
前記操作表示部６は、図２に示すように、タッチパネル６１、操作ボタン６２及びジョブ選択キー６３などを備えている。
前記操作ボタン６２は、ユーザーによる前記制御部５への各種の操作入力が行われるテンキー及びスタートキー等の各種の操作ボタンを有している。前記操作ボタン６２は、ユーザーによる前記操作ボタンの操作に応じて該操作ボタンに対応する操作信号を前記制御部５に入力する。
前記ジョブ選択キー６３は、前記複合機Ｘで実行する各種のジョブを選択するための操作ボタンであり、選択された操作ボタンに対応する操作信号を前記制御部５に入力する。具体的に、前記ジョブ選択キー６３は、コピージョブに対応するコピーキー６３１、プリンタジョブに対応するプリンタキー６３２、スキャナジョブに対応するスキャナキー６３３及びファックスジョブに対応するファックスキー６３４を備えている。
【００２０】
前記タッチパネル６１は、前記制御部５からの制御指示に従って、各種の操作内容に対応する操作キー６１Ａを表示する液晶パネル等の表示部と、ユーザーによる前記操作キー６１Ａの操作に応じて操作信号を前記制御部５に出力する位置検出部とを備えている。即ち、前記タッチパネル６１は表示手段及び操作手段を兼ねている。
また、前記タッチパネル６１は、前記制御部５から入力される制御指示に従って、前記複合機Ｘで発生したエラーをエラー表示部６１Ｂに表示させる。前記制御部５は、例えば「用紙の残量が少量枚数になったこと」、「用紙の残量がなくなったこと」、「トナー廃棄ボックスの飽和」、「感光体ドラムの交換時期」、「コンタクトガラスの汚れ」などのエラーが発生した場合に、そのエラーの内容を前記エラー表示部６１Ｂに表示させる。ここに、前記操作表示部６を制御することにより前記エラーの内容を表示するための処理を実行するときの前記制御部５が表示制御手段に相当する。なお、前記エラー表示部６１Ｂに表示される前記エラーの内容とは、前記エラー自体の内容だけでなく前記エラーを解消するために必要な処置の内容であってもよい。例えば、用紙の残量がなくなった場合には「用紙を補給して下さい」と表示され、前記コンタクトガラス１１が汚れている場合には「コンタクトガラスを清掃して下さい」と表示される。
ここで、前記タッチパネル６１は、前記制御部５からの制御指示に従って予め設定された初期濃度で前記操作キー６１Ａ及び前記エラー表示部６１Ｂなどを表示させる。前記初期濃度は、前記タッチパネル６１に表示される情報の表示濃度の初期値であり、前記制御部５の前記ＲＯＭ又は前記ＥＥＰＲＯＭなどに記憶されている。もちろん、前記複合機Ｘの初期設定において前記操作表示部６の操作に応じて前記制御部５が前記初期濃度を変更することも可能である。なお、前記表示濃度とは、前記操作キー６１Ａ及び前記エラー表示部６１Ｂの視認性の指標となる値であって、例えば輝度又はコントラストなどの数値によって表される。本実施形態では、前記表示濃度が低いほど前記操作キー６１Ａ及び前記エラー表示部６１Ｂの表示が薄くなり視認性が低下するものとする。
そして、前記複合機Ｘでは、前記制御部５により後述の操作性制御処理（図３及び図４参照）が実行されることにより、前記タッチパネル６１の前記操作キー６１Ａの表示濃度が適宜変更される。
【００２１】
［操作性制御処理］
以下、図３及び図４のフローチャートに従って、前記制御部５により実行される操作性制御処理について説明する。ここに、前記操作性制御処理を実行するときの前記制御部５が操作性制御手段に相当する。なお、前記制御部５によって実行される処理工程をステップＳ１１、Ｓ１２、・・・及びステップＳ２１、Ｓ２２、・・・と称する。また、図５は、当該操作性制御処理の実行結果の一例を説明するための表示画面を示す図であって、以下の説明において必要に応じて適宜参照する。
具体的に、前記制御部５は、図３に示すカウント処理と図４に示す濃度変更処理とを並列して実行する。また、前記カウント処理及び前記濃度変更処理が異なる処理主体によって実行されることも他の実施形態として考えられる。例えば、前記制御部５が前記カウント処理を実行し、前記操作表示部６に前記濃度変更処理を実行する制御部が設けられることが考えられる。
【００２２】
［カウント処理］
まず、図３を参照しつつ、前記制御部５によって実行されるカウント処理を説明する。
【００２３】
＜ステップＳ１１＞
ステップＳ１１において、前記制御部５は、ユーザーにより前記操作表示部６に対して前記画像形成部３による前記画像形成処理の実行要求の操作が行われたか否かを判断する。具体的に、前記制御部５は、前記操作表示部６に対して前記画像形成処理の実行を伴うコピージョブ及びプリンタジョブなどの実行操作が行われた場合に前記画像形成処理の実行要求が行われたと判断する。
ここで、前記制御部５は、前記画像形成処理の実行要求の操作が行われたと判断すると（Ｓ１１のＹｅｓ側）、処理をステップＳ１２に移行させる。一方、前記画像形成処理の実行要求の操作が行われるまでの間（Ｓ１１のＮｏ側）、前記制御部５は処理を前記ステップＳ１１で待機させる。
【００２４】
＜ステップＳ１２＞
次に、ステップＳ１２において、前記制御部５は、前記用紙残量センサー４１による検出結果に応じて、前記給紙カセット４の用紙がなくなる紙切れのエラー（特定のエラーの一例）が発生しているか否かを判断する。
ここで、前記制御部５は、前記紙切れのエラーが発生していると判断すると（Ｓ１２のＹｅｓ側）、処理をステップＳ１４に移行させる。一方、前記紙切れのエラーが発生していないと判断すると（Ｓ１２のＮｏ側）、前記制御部５は処理をステップＳ１３に移行させる。
【００２５】
＜ステップＳ１３＞
ステップＳ１３において、前記制御部５は、前記用紙残量センサー４１による検出結果に応じて、前記給紙カセット４の用紙が前記少量枚数未満である用紙少量のエラー（特定のエラーの一例）が発生しているか否かを判断する。
ここで、前記制御部５は、前記用紙少量のエラーが発生していると判断すると（Ｓ１３のＹｅｓ側）、処理をステップＳ１４に移行させる。一方、前記用紙少量のエラーが発生していないと判断すると（Ｓ１３のＮｏ側）、前記制御部５は処理をステップＳ１６に移行させる。従って、前記エラーの発生後に前記エラーが解消された場合（Ｓ１２及びＳ１３のＮｏ側）、処理は前記ステップＳ１６に移行される。
【００２６】
＜ステップＳ１４＞
ステップＳ１４において、前記制御部５は、予め設定された所定期間の間に、前記給紙カセット４に対して用紙が補充されたか否か、即ち前記紙切れ又は前記用紙少量のエラーに対する処置が行われたか否かを判断する。具体的に、前記制御部５は、前記用紙残量センサー４１による検出結果に応じて、前記給紙カセット４の用紙が前記少量枚数以上になった場合に、前記給紙カセット４に対して用紙が補充されたと判断する。なお、前記所定期間は、例えば現在ログイン中のユーザーがログアウトするまでの間、予め設定された時間が経過するまでの間、又は次のジョブが実行されるまでの間などである。
ここで、前記制御部５は、前記給紙カセット４に対して用紙が補充されなかったと判断すると（Ｓ１４のＮｏ側）、処理を前記ステップＳ１５に移行させる。一方、前記給紙カセット４に対して用紙が補充されたと判断すると（Ｓ１４のＹｅｓ側）、前記制御部５は処理をステップＳ１６に移行させる。
【００２７】
＜ステップＳ１５＞
ステップＳ１５において、前記制御部５は、前記制御部５の前記ＥＥＰＲＯＭに記憶されたカウント値Ｋを１だけ加算し（Ｋ＝Ｋ＋１）、処理を前記ステップＳ１１に戻す。前記カウント値Ｋは、前記紙切れ又は前記用紙少量のエラーが発生した後、そのエラーにユーザーが対処しなかった回数を判断するための指標値であって、その初期値は０である。
【００２８】
＜ステップＳ１６＞
一方、ステップＳ１６において、前記制御部５は、前記制御部５の前記ＥＥＰＲＯＭに記憶された前記カウント値Ｋをリセットし（Ｋ＝０）、処理を前記ステップＳ１１に戻す。
このように、前記複合機Ｘでは、前記エラーが発生した後、前記エラーが解消するまでの間は、前記画像形成処理が実行される度に前記カウント値Ｋが加算され、前記エラーが解消することにより前記カウント値Ｋがリセットされる。
そして、前記制御部５は、図４に示す濃度変更処理により、前記カウント処理でカウントされる前記カウント値Ｋに基づいて前記タッチパネル６１における前記操作キー６１Ａの表示濃度を変更する。
【００２９】
［濃度変更処理］
続いて、図４を参照しつつ、前記制御部５によって実行される濃度変更処理を説明する。
＜ステップＳ２１＞
まず、ステップＳ２１において、前記制御部５は、前記ステップＳ１２と同様に、前記用紙残量センサー４１による検出結果に応じて前記紙切れのエラーが発生しているか否かを判断する。
ここで、前記制御部５は、前記紙切れのエラーが発生していると判断すると（Ｓ２１のＹｅｓ側）、処理をステップＳ２４に移行させる。一方、前記紙切れのエラーが発生していないと判断すると（Ｓ２１のＮｏ側）、前記制御部５は処理を前記ステップＳ２２に移行させる。
【００３０】
＜ステップＳ２２＞
ステップＳ２２において、前記制御部５は、前記ステップＳ１３と同様に、前記用紙残量センサー４１による検出結果に応じて前記用紙少量のエラーが発生しているか否かを判断する。
ここで、前記制御部５は、前記用紙少量のエラーが発生していると判断すると（Ｓ２２のＹｅｓ側）、処理をステップＳ２３に移行させる。一方、前記用紙少量のエラーが発生していないと判断すると（Ｓ２２のＮｏ側）、前記制御部５は処理をステップＳ２４に移行させる。
【００３１】
＜ステップＳ２３＞
ステップＳ２３において、前記制御部５は、前記カウント処理（図３参照）でカウントされている前記カウント値Ｋが予め設定された閾値以上であるか否かを判断する。ここに、前記カウント値Ｋが予め設定された閾値以上であることが本発明における濃度変更条件の一例である。前記閾値は、ユーザーが前記紙切れ又は前記用紙少量のエラーに対処しなかった回数が多いことを判断するための数値であって、予め任意に定めておけばよい。もちろん、前記複合機Ｘの初期設定において前記操作表示部６の操作に応じて前記制御部５が前記閾値を変更することも可能である。
ここで、前記制御部５は、前記カウント値Ｋが前記閾値以上であると判断すると（Ｓ２３のＹｅｓ側）、処理をステップＳ２６に移行させる。一方、前記カウント値Ｋが前記閾値未満であると判断すると（Ｓ２３のＮｏ側）、前記制御部５は処理をステップＳ２４に移行させる。
【００３２】
＜ステップＳ２４＞
一方、ステップＳ２４において、前記制御部５は、前記ステップＳ２３と同様に、前記カウント値Ｋが前記閾値以上であるか否かを判断する。
ここで、前記制御部５は、前記カウント値Ｋが前記閾値以上であると判断すると（Ｓ２４のＹｅｓ側）、処理をステップＳ２７に移行させる。一方、前記カウント値Ｋが前記閾値未満であると判断すると（Ｓ２４のＮｏ側）、前記制御部５は処理をステップＳ２６に移行させる。
【００３３】
＜ステップＳ２５＞
ステップＳ２５において、前記制御部５は、前記タッチパネル６１によって表示される前記操作キー６１Ａの表示濃度を前記初期濃度に設定する。これにより、前記タッチパネル６１では、前記操作キー６１Ａが前記初期濃度で表示されることになる。即ち、前記エラーが発生して前記操作キー６１Ａの表示濃度が後述のステップＳ２６又はステップＳ２７で変更された後、前記エラーが解消した場合には前記ステップＳ２５で前記操作キー６１Ａの表示濃度が前記初期濃度にリセットされる。
ここに、図５（Ａ）は、前記操作キー６１Ａが前記初期濃度で表示された前記タッチパネル６１の表示画面を示している。図５（Ａ）に示す前記タッチパネル６１の表示画面では、前記操作キー６１Ａ及び前記エラー表示部６１Ｂが共に前記初期濃度で表示されている。なお、前記エラー表示部６１Ｂには、前記紙切れ及び前記用紙少量のエラーの内容として「用紙を補給して下さい」との文字が表示されている。もちろん、前記用紙少量のエラーの内容は、「用紙残量が少なくなってきました」など、前記紙切れのエラーとは異なる内容であってもよい。
このように、前記操作キー６１Ａの表示濃度が前記初期濃度に設定されている場合には、前記操作キー６１Ａが見やすいため、ユーザーによる前記タッチパネル６１の前記操作キー６１Ａの操作性は低下していない。なお、前記操作性とは、前記操作キー６１Ａを用いたユーザーによる操作入力が容易であるか否かを判断するための指標である。前記操作キー６１Ａの表示濃度が低下すると前記操作キー６１Ａの視認性が低くなるため前記操作キー６１Ａの操作性が低下する。
【００３４】
＜ステップＳ２６＞
ステップＳ２６において、前記制御部５は、前記タッチパネル６１によって表示される前記操作キー６１Ａの表示濃度を前記初期濃度よりも低い予め設定された第１の低濃度に設定する。これにより、前記タッチパネル６１では、前記操作キー６１Ａだけが前記初期濃度よりも低い前記第１の低濃度で表示され、前記エラー表示部６１Ｂの表示濃度は前記初期濃度のまま維持される。なお、前記制御部５が、前記エラー表示部６１Ｂの表示濃度を前記操作キー６１Ａの表示濃度と合わせて前記第１の低濃度に変更することも他の実施形態として考えられる。
ここに、図５（Ｂ）は、前記操作キー６１Ａが前記第１の低濃度で表示された前記タッチパネル６１の表示画面を示している。図５（Ｂ）に示す前記タッチパネル６１の表示画面では、前記操作キー６１Ａの表示濃度が図５（Ａ）に示す状態に比べて薄く、前記操作キー６１Ａが見えづらくなっているため、前記操作キー６１Ａの操作性が低下している。そして、前記操作キー６１Ａの操作性の低下は前記エラーが解消されるまで継続するため、前記エラーの内容を前記エラー表示部６１Ｂに表示させるだけの構成に比べて、前記エラーに対処するべき旨を効果的にユーザーに促すことができる。
また、前記タッチパネル６１では、図５（Ｂ）に示すように、前記エラー表示部６１Ｂが前記操作キー６１Ａよりも濃い表示濃度で表示される。従って、前記エラー表示部６１Ｂに表示された前記エラーの内容が目立つため、ユーザーが前記エラーの内容を認識しやすい。
【００３５】
＜ステップＳ２７＞
ステップＳ２７において、前記制御部５は、前記タッチパネル６１によって表示される前記操作キー６１Ａの表示濃度を前記第１の低濃度よりも更に低い予め設定された第２の低濃度に設定する。これにより、前記タッチパネル６１では、前記操作キー６１Ａだけが前記第１の低濃度よりも低い前記第２の低濃度で表示され、前記エラー表示部６１Ｂの表示濃度は前記初期濃度のまま維持される。なお、前記制御部５が、前記エラー表示部６１Ｂの表示濃度を前記操作キー６１Ａの表示濃度と合わせて前記第２の低濃度に変更することも他の実施形態として考えられる。
ここに、図５（Ｃ）は、前記操作キー６１Ａが前記第２の低濃度で表示された前記タッチパネル６１の表示画面を示している。図５（Ｃ）に示す前記タッチパネル６１の表示画面では、前記操作キー６１Ａの表示濃度が図５（Ｂ）に示す状態に比べて薄く、前記操作キー６１Ａが見えづらくなっているため、前記操作キー６１Ａの操作性が更に低下している。そして、前記操作キー６１Ａの操作性の低下は前記エラーが解消されるまで継続するため、前記第１の低濃度で前記操作キー６１Ａを表示させる場合に比べて、前記エラーに対処するべき旨をより効果的にユーザーに促すことができる。
また、前記タッチパネル６１では、図５（Ｃ）に示すように、前記操作キー６１Ａの表示濃度と前記エラー表示部６１Ｂの表示濃度との濃度差が図５（Ｂ）に示す状態に比べて大きい。従って、前記エラー表示部６１Ｂに表示された前記エラーの内容が特に目立つため、ユーザーが前記エラーの内容を認識しやすい。
【００３６】
以上説明したように、前記複合機Ｘでは、前記制御部５によって前記操作性制御処理が実行されることにより、前記紙切れ又は前記用紙少量のエラーが発生した後、そのエラーが解消するまでの間、前記操作キー６１Ａの表示濃度が低下して操作性がする。そのため、前記紙切れ又は前記用紙少量のエラーへの処置を効果的にユーザーに促すことができる。例えば、ユーザーによる早期の段階の用紙補給が期待でき、急用時などに用紙の補給を強いられることが防止される。
【００３７】
なお、本実施の形態では、前記カウント処理によって前記画像形成処理が実行された回数を前記カウント値Ｋとしてカウントし、前記カウント値Ｋに応じて前記操作キー６１Ａの表示濃度を変更させている。一方、例えば、前記制御部５が、前記エラーが発生した後、予め設定された所定期間（数分、数時間、数日など）が経過した場合に、前記操作キー６１Ａの表示濃度を変更させることも他の実施形態として考えられる。
また、前記実施の形態では、前記紙切れ及び前記用紙少量のエラーを一例に挙げて説明したが、本発明は他のエラーが発生した場合にも適用可能である。但し、例えば前記トナーコンテナ３４内のトナーの残量が少なくなってきた場合に、前記トナーコンテナ３４が使い切られる前の早い段階で交換されると、前記トナーコンテナ３４内に残存したトナーが無駄になる。そのため、前記操作性制御処理（図３及び図４参照）によって前記操作キー６１Ａの表示濃度を低下させる対象となるエラーは、前記給紙カセット４の用紙残量の低下などのように早期の段階で対処しても無駄が生じない特定のエラーであることが望ましい。
例えば、前記画像読取部１に設けられた前記コンタクトガラス１１が汚れると前記画像読取部１により読み取られる画像データにノイズが生じる。そのため、前記コンタクトガラス１１が汚れた場合は前記コンタクトガラス１１を清掃する必要がある。そこで、前記制御部５が、前記画像読取部１により読み取られた画像データに基づいて前記コンタクトガラス１１の汚れを検出する機能を有しており、前記コンタクトガラス１１が汚れた旨のエラーを対象に前記操作性制御処理を実行することが考えられる。この場合、前記制御部５は、前記カウント処理（図３）の前記ステップＳ１１において前記画像読取部１による画像読取処理が実行されたか否かを判断することが考えられる。即ち、前記カウント値Ｋは、前記画像読取処理の実行回数となる。もちろん、前記カウント値Ｋは、前記画像形成処理及び前記画像読取処理の実行回数の合計であることも考えられる。
【００３８】
［他の実施形態１］
前記制御部５が、前記複合機Ｘを使用するユーザーごとに前記操作キー６１Ａの表示濃度を変更することが他の実施形態として考えられる。
具体的に、前記制御部５は前述したように前記複合機Ｘを使用する際にユーザーのログイン処理及びログアウト処理を実行するユーザー認証機能を有している。そこで、前記制御部５が、前記カウント処理において前記複合機Ｘを使用するユーザーごとに対応する前記カウント値Ｋを前記制御部５の前記ＥＥＰＲＯＭに記憶させ、前記カウント値Ｋ各々を個別に加算及びリセットする。そして、前記制御部５は、前記濃度変換処理において、ユーザーごとに対応する前記カウント値Ｋを判断指標として前記操作キー６１Ａの表示濃度を設定することが考えられる。
このような構成によれば、例えば普段から前記紙切れ及び前記用紙少量のエラーへの処置を行う回数が多いユーザーに対しては図５（Ａ）又は図５（Ｂ）に示すように前記操作キー６１Ａが前記初期濃度又は前記第１の低濃度で表示される。一方、普段から前記紙切れ及び前記用紙少量のエラーへの処置を行う回数が少ないユーザーに対しては図５（Ｃ）に示すように前記操作キー６１Ａが前記第２の低濃度で表示される。
従って、本実施形態１に係る構成によれば、前記紙切れ及び前記用紙少量のエラーが発生しているときに、そのエラーへの処置を行わない回数が多いユーザーに対して前記エラーへの処置を効果的に促すことができる。そのため、前記エラーへの処置を行う回数が多いユーザーよりも前記エラーへの処置を行う回数が少ないユーザーに対して、前記エラーに対処するべき旨を強調して認識させることができ、前記エラーへの処置を行うユーザーの偏りをなくすことができる。
なお、前記制御部５が、前記ステップＳ１１において、前記ユーザー認証機能によるログイン処理及びログアウト処理のいずれか一方又は両方が実行された場合に処理を前記ステップＳ１２に移行させることも考えられる。即ち、前記ログイン処理及び前記ログアウト処理のいずれか一方又は両方が実行されたことにより、ユーザー各々が前記エラーへの処置を行わなかった回数を把握し、その回数に応じた表示濃度で前記操作キー６１Ａを表示させることが考えられる。
【００３９】
［他の実施形態２］
また、前記操作キー６１Ａの表示濃度を低下させるための条件は、前記エラーが発生しており、且つ前記カウント値Ｋが前記閾値以上であることに限らない。
ここに、図６は、前記制御部５によって実行される前記操作性制御処理の他の例を説明するためのフローチャートである。前記制御部５は、図３及び図４に示した前記カウント処理及び前記濃度変更処理に代えて図６に示す操作性制御処理のみを実行することが考えられる。なお、図４に示した前記濃度変更処理と同様の処理手順については同じ符号を付してその説明を省略する。
図６に示す前記操作性制御処理では、前記ステップＳ２３及び前記ステップＳ２４が省略されている。即ち、前記制御部５は、前記紙切れのエラーが発生した場合（Ｓ２１のＹｅｓ側）、前記操作キー６１Ａを前記第２の低濃度で表示させる（Ｓ２７）。また、前記制御部５は、前記用紙少量のエラーが発生した場合（Ｓ２２のＹｅｓ側）、前記操作キー６１Ａを前記第１の低濃度で表示させる（Ｓ２６）。即ち、前記制御部５は、前記紙切れ又は前記用紙少量のエラーが発生してから前記エラーが解消するまでの間、前記操作キー６１Ａの操作性を低下させることが考えられる。これにより、前記エラーの発生時には前記エラーが発生していない場合に比べて前記操作キー６１Ａの表示濃度が低下するため、何らかのエラーが発生している旨、及びそのエラーに対処するべき旨を効果的にユーザーに認識させることができる。
【００４０】
［他の実施形態３］
ところで、前記紙切れ及び前記用紙少量のエラーのように前記画像形成処理で使用する前記給紙カセット４の用紙の残量に関するエラーが生じた場合、前記画像形成処理に関係のない前記操作キー６１Ａの操作性を低下させることは必ずしも好ましくない。そこで、前記制御部５が、前記操作性制御処理において前記操作キー６１Ａのうち前記複合機Ｘで発生しているエラーの内容に関連する特定の操作キーのみついて操作性を低下させることが考えられる。
ここに、図７は、前記制御部５によって実行される前記操作性制御処理の他の例を説明するためのフローチャートである。また、図８は、図７に示す前記操作性制御処理の実行結果の一例を示す図である。図７に示すように、前記制御部５は、図６に示した前記操作性制御処理に加えて、ステップＳ２１１及びステップＳ２２１を実行する。なお、図６に示した前記操作性制御処理と同様の処理手順については同じ符号を付してその説明を省略する。
【００４１】
具体的に、前記制御部５は、前記紙切れのエラーが発生した場合に（Ｓ２１のＹｅｓ側）、前記ステップＳ２１１を実行し、前記用紙少量のエラーが発生した場合に（Ｓ２２のＹｅｓ側）、前記ステップＳ２２１を実行する。
前記ステップＳ２１１及び前記ステップＳ２２１において、前記制御部５は、前記紙切れ及び前記用紙少量のエラーに関連する前記画像形成処理を伴うコピージョブ又はプリンタジョブが選択されているか否かを判断する。
そして、前記ステップＳ２２１において、前記コピージョブ又は前記プリンタジョブが選択されていると判断された場合（Ｓ２２１のＹｅｓ側）、前記制御部５は処理を前記ステップＳ２６に移行させる。これにより、前記ステップＳ２６では、図８（Ａ）に示すように、前記画像形成処理に関する操作内容に対応する前記操作キー６１Ａが前記第１の低濃度で表示されて操作性が低下される。
また、前記ステップＳ２１１において、前記コピージョブ又は前記プリンタジョブが選択されていると判断された場合（Ｓ２１１のＹｅｓ側）、前記制御部５は処理を前記ステップＳ２７に移行させる。これにより、前記ステップＳ２７では、図８（Ｂ）に示すように、前記画像形成処理に関する操作内容に対応する前記操作キー６１Ａが前記第２の低濃度で表示されて操作性が低下される。
一方、前記ステップＳ２１１又は前記ステップＳ２２１において、前記コピージョブ又は前記プリンタジョブが選択されていないと判断された場合（Ｓ２１１又はＳ２２１のＮｏ側）、前記制御部５は処理を前記ステップＳ２５に移行させる。これにより、例えば、前記スキャナジョブ又は前記ファックスジョブが選択されている場合には、続く前記ステップＳ２５において、図８（Ｃ）に示すように前記画像形成処理に関しない操作内容に対応する前記操作キー６１Ａが前記初期濃度で表示される。
【００４２】
従って、前記紙切れ及び前記用紙少量のエラーのように前記画像形成処理で使用する前記給紙カセット４に関するエラーが生じた場合は、前記給紙カセット４が使用される前記画像形成処理を実行するユーザーのみに対してそのエラーへの処置を促すことができる。なお、前記タッチパネル６１の同一表示画面上に表示される前記操作キー６１Ａに、前記画像形成処理を実行する際に使用する操作キーと使用されない操作キーとが含まれる構成も考えられる。この場合、前記制御部５は、前記同一表示画面上の前記操作キー６１Ａのうち前記エラーに関連する操作内容に対応する一部の前記操作キー６１Ａのみについて表示濃度を低下させることが考えられる。
また、他にも、前記制御部５が、例えば前記コンタクトガラス１１の汚れに関するエラーが発生した場合に前記操作キー６１Ａのうち前記画像読取処理に関連する操作内容に対応する特定の操作キーの表示濃度を低下させて操作性を低下させることが考えられる。これにより、前記コンタクトガラス１１の汚れのエラーのように前記画像読取処理で使用する前記コンタクトガラス１１に関するエラーが生じた場合は、前記コンタクトガラス１１が使用される前記画像読取処理を実行するユーザーのみに対してそのエラーへの処置を促すことができる。
【００４３】
［他の実施形態４］
また、前記制御部５が、前記操作性制御処理において前記カウント値Ｋに応じて前記操作キー６１Ａの表示濃度を所定量ずつ低下させることも他の実施形態として考えられる。
ここに、図９は、前記制御部５によって実行される前記濃度変更処理の他の例を説明するためのフローチャートである。前記制御部５は、図４に示した前記濃度変更処理に代えて図９に示す濃度変更処理を実行する。図９に示すように、前記制御部５は、図４に示した前記濃度変更処理の前記ステップＳ２６〜Ｓ２７に代えてステップＳ２２２の処理を実行する。なお、前記濃度変更処理（図４参照）と同様の処理手順については同じ符号を付してその説明を省略する。
具体的に、図９に示す濃度変更処理では、前記制御部５が、前記紙切れ又は前記用紙少量のエラーが発生している場合に、処理を前記ステップＳ２２２に移行させる。そして、前記ステップＳ２２２において、前記制御部５は、前記カウント処理でカウントされている前記カウント値Ｋに応じて前記操作キー６１Ａの表示濃度を変更する。
具体的に、前記制御部５は、前記カウント値Ｋが大きくなるほど前記操作キー６１Ａの表示濃度が徐々に低くなるように前記表示濃度を変更させる。例えば、前記制御部５は、前記カウント値Ｋの値を予め設定された複数の範囲のいずれに該当するかを判断し、前記操作キー６１Ａの表示濃度を前記範囲ごとに対応して予め設定された表示濃度に変更することが考えられる。もちろん、前記制御部５が、前記カウント値Ｋが予め設定された閾値未満である場合に前記第１の表示濃度、前記カウント値Ｋが予め設定された閾値以上である場合に前記第２の表示濃度に変更することも考えられる。
なお、前記ステップＳ２２２で変更された前記表示濃度は、前記エラーが解消した場合に（Ｓ２１及びＳ２２のＮｏ側）、続く前記ステップＳ２５において前記制御部５により前記初期濃度にリセットされる。
このような構成によれば、前記紙切れ及び前記用紙少量のエラーが放置された期間が長くなるに従って前記操作キー６１Ａの表示濃度を徐々に低下させて操作性を低下させることができ、前記エラーへの処置をユーザーに対して効果的に促すことができる。
【００４４】
［他の実施形態５］
さらに、前記実施形態各々では、前記操作キー６１Ａの表示濃度を低下させることにより前記操作キー６１Ａの操作性を低下させる場合を例に挙げて説明した。一方、前記操作キー６１Ａの操作性を低下させる手法はこれに限らない。
例えば、前記制御部５は、前記操作性制御処理において、前記操作キー６１Ａの表示濃度の低下に代えて、前記操作キー６１Ａに対して予め設定された下限回数の操作が行われるまで前記タッチパネル６１からの操作信号を受け付けないことが考えられる。具体的に、前記制御部５は、前記操作キー６１Ａに対して前記下限回数の操作が行われるまで前記タッチパネル６１から操作信号が出力されないように前記タッチパネル６１を制御することが考えられる。また、前記制御部５は、前記操作キー６１Ａに対して前記下限回数の操作が行われるまでの間は、前記タッチパネル６１から出力された操作信号に応じた処理を実行しないことが考えられる。このように、前記制御部５が、前記操作キー６１Ａが前記下限回数操作されるまでの間、前記操作キー６１Ａの操作を受け付けなければ、前記操作キー６１Ａの操作性が低下するため、ユーザーに対して前記エラーへの処置を効果的に促すことができる。
また、前記制御部５は、前記操作性制御処理において、前記操作キー６１Ａの表示濃度の低下に代えて、前記操作キー６１Ａの操作が行われた場合に、予め設定された確認メッセージを前記タッチパネル６１に表示させることが考えられる。そして、前記制御部５は、前記タッチパネル６１に対して前記確認メッセージの確認操作が行われるまで前記操作信号を受け付けないことが考えられる。具体的に、前記制御部５は、前記操作キー６１Ａに対して前記確認メッセージの確認操作が行われるまで前記タッチパネル６１から操作信号が出力されないように前記タッチパネル６１を制御することが考えられる。また、前記制御部５は、前記操作キー６１Ａに対して前記確認メッセージの確認操作が行われるまでの間は、前記タッチパネル６１から出力された操作信号に応じた処理を実行しないことが考えられる。このように、前記制御部５が、前記操作キー６１Ａが前記確認メッセージの確認操作が行われるまでの間、前記操作キー６１Ａの操作を受け付けなければ、前記操作キー６１Ａの操作性が低下するため、ユーザーに対して前記エラーへの処置を効果的に促すことができる。
【符号の説明】
【００４５】
１  ：画像読取部
１１：コンタクトガラス
２  ：ＡＤＦ
３  ：画像形成部
４  ：給紙カセット
５  ：制御部
６  ：操作表示部
６１：タッチパネル（表示手段、操作手段の一例）
６１Ａ：操作キー
６１Ｂ：エラー表示部
６２：操作ボタン
６３：ジョブ選択キー
６３１：コピーキー
６３２：プリンタキー
６３３：スキャナキー
６３４：ファックスキー
Ｓ１１、Ｓ１２、・・・：処理手順（ステップ）番号
Ｓ２１、Ｓ２２、・・・：処理手順（ステップ）番号
Ｘ  ：複合機（情報処理装置の一例）
【図１】
2014061650.tif 000003
【図３】
2014061650.tif 000004
【図４】
2014061650.tif 000005
【図６】
2014061650.tif 000006
【図７】
2014061650.tif 000007
【図９】
2014061650.tif 000008
【図２】
2014061650.tif 000009
【図５】
2014061650.tif 000010
【図８】
2014061650.tif 000011